(57)【要約】 【課題】本発明はカレンダー自体が大きくならずに、書き込み用のメモ部分が多く設けられ且つ１年間の予定又は記録を保存することが出来ると共に紙だけで製作でき、コスト高にならず、更に車両用の安全点検記録が容易に記入可能となるカレンダーを提供することを目的とする。【解決手段】複数枚のカレンダー用紙１に於いて、該カレンダー用紙１の日付欄11を白紙にすると共にその日付欄11の上には、１日毎に日付13aを表示した日付表示片13をめくり可能に貼着した構造とする。また日付13aを日付表示片13の左上に表示させると良く、日付表示片13を１週間分連結させたものとしても良い。【選択図】図１
2006026953.tif 000002
【特許請求の範囲】
【請求項１】
複数枚のカレンダー用紙（１）の上端を綴じ具（２）で綴じて成るカレンダーに於いて、前記カレンダー用紙（１）の日付欄（11）を白紙にすると共に該日付欄（11）の上には、１日毎に日付（13a）を表示した日付表示片（13）をめくり可能に貼着したことを特徴とするカレンダー。
【請求項２】
前記日付（13a）が前記日付表示片（13）の左上に表示された請求項１記載のカレンダー。
【請求項３】
前記日付表示片（13）が１週間分連結された請求項１又は２記載のカレンダー。
【発明の詳細な説明】
【技術分野】
【０００１】
本発明は行事や予約などを書き込むためのメモ部分を多く設けた月めくりのカレンダーに関する。
【背景技術】
【０００２】
従来、行事や仕事の予約などの予定を書き込むためのメモ部分を多く設けた月めくりのカレンダーとしては、各月毎或いは２ヶ月毎のカレンダー用紙の日付欄を大きくしたものや、下方にメモ欄を別に設けたものなどがあった。又、カレンダー用紙の紙面以外に書き込みスペースを備え、しかもその書き込みスペースにおいて書き直しが出来る壁掛けカレンダーとして、特開平７−９６６８８号が提案されている。この構造は、表面に少なくとも暦欄を印刷してなる複数枚のカレンダー用紙を上辺の綴じ具により綴じて一冊とした壁掛けカレンダーにおいて、カレンダー用紙より長いサイズで水性ペンにより書き消し可能な台紙を最終ページに綴じ合わせるようにしたものである。
【０００３】
しかしながら、前記日付欄を大きくしたカレンダーは、全体が大きくなって取扱いにくく、且つ製作コストが掛かるものであった。また下方にメモ欄を別に設けたカレンダーは、一般に見易い位置に暦欄の日付が来るよう壁に掛けられている場合が多く、メモ欄はそれよりも下方に来ると共に暦欄の日付に比べてメモ欄の日付が小さいため、メモを書き込む際には、下方の小さな日付を確認してから記入する。この場合、中腰になった状態で記入することが多く、下方のメモ欄に予定が記入しにくいものであり、余り利用されていないのが現状である。
【０００４】
一方、特開平７−９６６８８号には、カレンダー用紙より長いサイズで水性ペンにより書き消し可能な台紙の表面に樹脂フィルムをラミネートし、或いは樹脂をコーティングするため、コスト高になり、且つ水性ペンを常に用意しなければならず、更に水性ペンを用いて記入すると擦れて内容が判読できなくなる恐れがあると共にその内容を保存することは困難であった。
【０００５】
尚、車両用の安全点検記録としては、従来はノート等に記入する程度であり、その記録には会社の指示事項のみを記入するものであった。また個人用としては安全点検記録を日々付けることは殆どなかった。
【特許文献１】特開平７−９６６８８号公報
【発明の開示】
【発明が解決しようとする課題】
【０００６】
本発明はカレンダー自体が大きくならずに、書き込み用のメモ部分が多く設けられ且つ１年間の予定又は記録を保存することが出来ると共に紙だけで製作でき、コスト高にならず、更に車両用の安全点検記録が容易に記入可能となるカレンダーを提供することを目的とする。
【課題を解決するための手段】
【０００７】
本発明は上記欠点を解消するために成されたものであり、つまり、複数枚のカレンダー用紙に於いて、該カレンダー用紙の日付欄を白紙にすると共に日付欄の上には、１日毎に日付を表示した日付表示片をめくり可能に貼着した構造とする。また日付を日付表示片の左上に表示させると良く、日付表示片を１週間分連結させたものとしても良い。尚、本発明で言う「白紙」とは、日付の数字が表示されていない状態を指し、白色に限定されるものではなく、無地状態も含むものとする。
【発明の効果】
【０００８】
請求項１のように上端が綴じられた複数枚のカレンダー用紙（１）の日付欄（11）を白紙にすると共にその日付欄（11）の上には、１日毎に日付（13a）を表示した日付表示片（13）をめくり可能に貼着することにより、書き込み用のメモ部分が、日付表示片（13）の表面と日付欄（11）の白紙部分に設けられる。つまり、日付表示片（13）が１枚であれば、２箇所に記入可能となり、前記日付表示片（13）を２枚以上にすれば、その枚数分だけメモ部分が多くなる。このため、カレンダー自体を大きくしなくてもメモ部分が多くなるため、取扱いが良い大きさのカレンダー或いは小型なものに製作することが可能となる。また１年間の予定又は記録を保存することができ、且つ紙だけで製作出来るので、コスト高にならず、しかも従来と同様の壁位置に取付けて書き込みが出来るものとなる。特に本発明品を車両用として用いると、日々の車の調子，燃比，オイルやエレメントの交換，タイヤの摩耗，ランプの切れ，異音の有無，車の部品に関する消耗具合などを記入することにより、車の異常がなくなり、交通安全の一役を担うものとなる。
【０００９】
請求項２のように日付（13a）を日付表示片（13）の左上に表示することにより、書き込み部分が多くなる。また必要に応じて剥がしても日付（13a）が表示されているので、メモとして別の場所に貼り付けても充分に役目が果せるものとなり、且つ書き込んだ内容が消えずにメモ内容は不鮮明になる恐れもないものとなる。
【００１０】
請求項３に示すように日付表示片（13）を１週間分連結させることにより、製作費が減少でき、本発明品を安価に提供できるものとなる。
【発明を実施するための最良の形態】
【００１１】
図１は本発明の実施形態を示す図であり、これについて説明する。（１）は月単位の１２枚から成るカレンダー用紙であり、該カレンダー用紙（１）には、白紙の日付欄（11）と、その日付欄（11）の上端に表示した曜日欄（1２）と、前記日付欄（11）の上に複数枚貼着しためくり可能な日付表示片（13）とがある。前記日付欄（11）は前記日付表示片（13）が配置されるスペース分に区画線を表示しておくと良い（図１、図２参照）。前記各日付表示片（13）の左上には日付（13a）が表示されている。また前記各日付表示片（13）は、図３（ａ）のように日付毎に裏側上辺を糊付けして貼着させるか、或いは図３（ｂ）のように１週間分の日付表示片（13）の上辺が連結され、その上辺裏側を糊付けして貼着させたものとしても良い。又、前記日付表示片（13）は１枚或いは２枚が好ましいが、この枚数に限定されるものではない。尚、前記カレンダー用紙（１）は月単位に限定されるものではなく、２ヶ月を１枚のカレンダー用紙（１）に割り当てても良い。（２）は複数枚のカレンダー用紙（１）の上端を綴じる綴じ具であり、該綴じ具（２）はカレンダー用紙（１）の上端の両側に設けているが、上端全体に設けたものとしても良い。（３）はカレンダー用紙（１）の上端中央に設けた吊下具であり、特に車両の適宜位置に容易に引掛けられるような形状、例えばカギ状などに形成したものとしても良い。尚、前記綴じ具（２）と吊下具（３）は一般的なものを用いれば良い。又、前記吊下具（３）は必ずしも必要ではない。
【００１２】
次に本発明の作用について説明する。先ず始めに本発明品を使用する際は、必要に応じて行事や仕事の予約などの予定及び実績等を、先ず日付表示片（13）の表面に書き込む。そして日付表示片（13）の表面が書き込みでいっぱいになった後、該日付表示片（13）をめくり、その下の日付表示片（13）或いは白紙の日付欄（11）に順次書き込んで行く。尚、この時、前記日付表示片（13）が複数枚用意されている場合には、特に重要な事項を書き込むに当り、日付表示片（13）２枚に書き込み、１枚を目に付く所、例えば、電話機や冷蔵庫或いは車の中などに貼付けておけば、重要な事項が記載された日にち付きメモ紙として使用することも可能である。このように日々予定を書き込んで行き、月が替わればカレンダー用紙（１）をめくり、新たな月に対応すれば良い。一年が経過した後は、カレンダーを保管するのが良いが、必要な箇所だけ保管しておくのも良い。
【００１３】
一方、本発明品を車両内で使用する場合について説明する。予め小型、例えばＢ−６サイズ以下の大きさに本発明品を形成しておく。先ず始めに本発明品を、前側のグローブ・ボックス或いはドアの内側などに吊下する。次に車に乗り、１日の運転を終了した時点或いは緊急時に、その日の日付表示片（13）に、例えば、走行距離総数，運転時間，当日の特記事項，パンク，事故内容，渋滞による遅延時間，天候などを記入する。この時、略記号を使用して記入するようにしても良い。このようにして毎日、車の状況や運転状況などを記入しておくと、車に対する細心の注意が払われ、安全運転に対処出来るものとなるため、安全運転に貢献できる製品となるのである。又、本発明品は運転席から目の付くところに吊下しておけば、自主的に記入でき、一般のドライバーが車両及び運転に対する意識を高揚でき、交通安全の一役を担うことも可能となる。
【図面の簡単な説明】
【００１４】
【図１】本発明の実施形態を示す説明図である。
【図２】本実施形態のカレンダー用紙を示す説明図である。
【図３】本実施形態の日付表示片の貼着方法を示す説明図である。
【符号の説明】
【００１５】
１  カレンダー用紙
11  日付欄
13  日付表示片
13a  日付
２  綴じ具
【図１】
2006026953.tif 000003
【図２】
2006026953.tif 000004
【図３】
2006026953.tif 000005